(57)【要約】【課題】人力でも蓋の開閉を容易に行うことができる放射性汚染物質の格納容器を提供する。【解決手段】内部に放射性汚染物質が格納される容器本体２と、容器本体２の開口２ａを複数の分割蓋３で閉鎖する蓋部４と、を備え、複数の分割蓋３は、開口２ａを閉鎖するときにそれぞれ開口２ａの一部を覆い、全部の分割蓋３によって開口２ａ全体を覆うように配列されている。【選択図】図２
2014206503.tif 000002
【特許請求の範囲】
【請求項１】
内部に放射性汚染物質が格納される容器本体と、
該容器本体の開口を複数の分割蓋で閉鎖する蓋部と、を備え、
前記複数の分割蓋は、前記開口を閉鎖するときにそれぞれ該開口の一部を覆い、全部の前記分割蓋によって前記開口全体を覆うように配列されていることを特徴とする放射性汚染物質の格納容器。
【請求項２】
隣り合う前記分割蓋は、互いの縁部が重なっていることを特徴とする請求項１に記載の放射性汚染物質の格納容器。
【請求項３】
隣り合う前記分割蓋のうち、一方には前記縁部に切欠き部が形成され、他方には前記縁部に前記切欠き部と嵌合可能な凸部が形成されていることを特徴とする請求項２に記載の放射性汚染物質の格納容器。
【請求項４】
隣り合う前記分割蓋のうち少なくとも一方には前記縁部にゴムパッキンが設けられていて、隣り合う前記分割蓋は互いの前記縁部がゴムパッキンを介して重なっていることを特徴とする請求項２または３に記載の放射性汚染物質の格納容器。
【請求項５】
前記分割蓋は、ヒンジを介して前記容器本体に連結されていることを特徴とする請求項１乃至４のいずれか１項に記載の放射性汚染物質の格納容器。
【請求項６】
前記容器本体に着脱可能であるとともに、前記分割蓋を支持可能な分割蓋支持部材が設けられていることを特徴とする請求項１乃至５のいずれか１項に記載の放射性汚染物質の格納容器。
【発明の詳細な説明】
【技術分野】
【０００１】
本発明は、除染作業によって発生する放射性汚染物質を格納するための格納容器に関する。
【背景技術】
【０００２】
従来、除染作業によって発生する放射性汚染物質を処理する際に、放射性汚染物質が低線量の場合は放射性汚染物質をフレキシブルコンテナバッグ（フレコンバッグ）に入れて仮置き場に保管している。また、例えば土壌洗浄後の残渣や焼却灰などのように放射性汚染物質が高線量の場合は、作業員の被ばくを低減させるため放射性汚染物質を遮蔽性能が高いＲＣで形成された格納容器に入れて仮置き場に保管している。
そして、仮置き場に保管された放射性汚染物質は、後に中間貯蔵施設に運搬され保管されている。さらに、高線量の放射性汚染物質は３０年経過しても放射線量が１/２程度にしか低減しないため、３０年後には最終処分場に運搬され保管されることになる。
【０００３】
このように放射性汚染物質を運搬・保管する際にＲＣで形成された格納容器を使用すると、大量の放射性汚染物質を格納できるとともに、放射性汚染物質を格納容器に収容したまま運搬・保管することができて作業員が放射性汚染物質に触れることがないため、作業員の被ばくを防止することができる。
このような高線量の放射性汚染物質を格納するための格納容器としては、例えば、特許文献１に開示されているような、角型状に形成された容器本体と、この容器本体の上部開口部を覆って密閉する蓋とを備えたものがある。
【先行技術文献】
【特許文献】
【０００４】
【特許文献１】特開２００３−３４４５８８号公報
【発明の概要】
【発明が解決しようとする課題】
【０００５】
特許文献１のような構造の放射性汚染物質の格納容器は、例えばＲＣで形成されると蓋の重量が約７００ｋｇとなることもあるため、人力で蓋を開閉することが困難である。このため、例えば家庭のホットスポットにおける高線量の放射線汚染物質や、家庭で発生する少量の焼却灰を重機などの機械を使用せずに人力で格納したい場合には、このような放射性汚染物質の格納容器を使用することができない。
【０００６】
本発明は、上述する問題点に鑑みてなされたもので、人力でも蓋の開閉を容易に行うことができる放射性汚染物質の格納容器を提供することを目的とする。
【課題を解決するための手段】
【０００７】
上記目的を達成するため、本発明に係る放射性汚染物質の格納容器は、内部に放射性汚染物質が格納される容器本体と、該容器本体の開口を複数の分割蓋で閉鎖する蓋部と、を備え、前記複数の分割蓋は、前記開口を閉鎖するときにそれぞれ該開口の一部を覆い、全部の前記分割蓋によって前記開口全体を覆うように配列されていることを特徴とする。
【０００８】
本発明では、蓋部が複数の分割蓋を備えることにより、蓋部の重量が人力で開閉するには重い場合でも、分割蓋１つの重量は人力で容易に開閉できる重量とすることができるため、重量の重い蓋部を備える放射性汚染物質の格納容器であっても人力で分割蓋（蓋部）の開閉を容易に行うことができる。
【０００９】
また、本発明に係る放射性汚染物質の格納容器は、隣り合う前記分割蓋は、互いの縁部が重なっていることが好ましい。
このように、隣り合う分割蓋の縁部同士が重なることにより、隣り合う分割蓋の間に隙間が生じることがないため、容器本体の開口を確実に密閉することができ、遮蔽性能を高めることができる。
【００１０】
また、本発明に係る放射性汚染物質の格納容器は、隣り合う前記分割蓋のうち、一方には前記縁部に切欠き部が形成され、他方には前記縁部に前記切欠き部と嵌合可能な凸部が形成されていることが好ましい。
このようにすることにより、隣り合う分割蓋の間に隙間が生じることがないため、容器本体の開口を確実に密閉することができ、遮蔽性能を高めることができる。
【００１１】
また、本発明に係る放射性汚染物質の格納容器では、隣り合う前記分割蓋のうち少なくとも一方には前記縁部にゴムパッキンが設けられていて、隣り合う前記分割蓋は互いの前記縁部がゴムパッキンを介して重なっていることが好ましい。
このようにすることにより、隣り合う分割蓋がゴムパッキンを介して密着するため、容器本体の開口をより確実に密閉することができ、遮蔽性能を高めることができる。
また、外部からの容器本体内への雨水の浸入を確実に防ぐことができる。
【００１２】
また、本発明に係る放射性汚染物質の格納容器では、前記分割蓋は、ヒンジを介して前記容器本体に連結されていることが好ましい。
このようにすることにより、分割蓋の開閉を人力でも容易に行うことができる。
【００１３】
また、本発明に係る放射性汚染物質の格納容器では、前記容器本体に着脱可能であるとともに、前記分割蓋を支持可能な分割蓋支持部材が設けられていることを特徴とするが好ましい。
このようにすることにより、分割蓋の個数が多い場合でも分割蓋を確実に支持することができる。
【発明の効果】
【００１４】
本発明によれば、蓋部が複数の分割蓋を備えることにより、蓋部の重量が人力で開閉するには重い場合でも、分割蓋１つの重量は人力で容易に開閉できる重量とすることができるため、重量の重い蓋部を備える放射性汚染物質の格納容器であっても人力で分割蓋（蓋部）の開閉を容易に行うことができる。
【図面の簡単な説明】
【００１５】
【図１】本発明の実施形態による放射性汚染物質の格納容器の一例を示す平面図である。
【図２】図１のＡ−Ａ線断面図である。
【図３】図１のＢ−Ｂ線断面図である。
【図４】蓋を開放した時の図１のＢ−Ｂ線断面図である。
【発明を実施するための形態】
【００１６】
以下、本発明の実施形態による放射性汚染物質の格納容器について、図１乃至図４に基づいて説明する。
図１乃至図４に示すように、本実施形態による放射性汚染物質の格納容器１は、内部に放射性汚染物質（不図示）が格納される容器本体２と、容器本体２の開口２ａを閉鎖する複数の分割蓋３を備える蓋部４と、容器本体２に着脱可能であるとともに複数の分割蓋３，３…（以下複数の分割蓋３と示す）を支持可能な分割蓋支持部材５と、を備えている。
【００１７】
容器本体２は、上面が開口した略直方体の箱状に形成され、平面視において略長方形の底部２１（図２〜図４参照）と、底部２１の４辺から立ち上がる４つの壁部２２と、底部２１の四隅を支持する４つの脚部２３（図２〜図４参照）と、を備えている。
【００１８】
底部２１は、所定の厚さの板状にＲＣで形成されていて、脚部２３に支持されることにより接地面から浮いた状態となっている。
壁部２２は、それぞれ所定の厚さの板状にＲＣで形成されていて、上端部２２ａの内側に幅方向全体にのびる容器本体側切欠き部２４が形成されている。
４つの壁部２２に囲まれた容器本体２の開口２ａは、平面視において略長方形となっている。
【００１９】
４つの壁部２２のうちその幅方向を縦方向（図１中のＣの方向）とする一対の壁部２２ｂ，２２ｂには、幅方向の略中央部で上端部２２ａの内側に分割蓋支持部材５の両端部５ａ，５ａが嵌合可能な分割蓋支持部材用切欠き部２５が形成されている。
【００２０】
ここで、分割蓋支持部材５について説明すると、分割蓋支持部材５は、例えば角型鋼管などの横方向（図１中のＤの方向）に延びる長尺の部材が用いられている。そして、分割蓋支持部材５は、両端部５ａ，５ａがそれぞれ容器本体２の分割蓋支持部材用切欠き部２５，２５に嵌合することで、容器本体２に支持され取り付けられた状態となる。
この分割蓋支持部材５は、両端部５ａ，５ａが容器本体２に接着されておらず、使用者（不図示）によって引き上げられることで容器本体２から着脱自在に構成されている。
本実施形態では、分割蓋支持部材用切欠き部２５は、立面視において分割蓋支持部材５の両端部５ａ，５ａの断面形状と略同じ形状に形成されている。
【００２１】
複数の分割蓋３は、それぞれ所定の厚さの板状にＲＣで形成され、ヒンジ６を介して容器本体２に連結されている。本実施形態では、平面視において縦方向（図１中のＣの方向）に２枚、横方向（図１中のＤの方向）に４枚の２×４に配列された８つの分割蓋３，３…が設けられている。
この複数の分割蓋３は、１つの重量が約５０ｋｇ程度となるように設定されている。
ここで、図３に示すように分割蓋３がそれぞれ閉められて面方向が水平方向となり容器本体２の開口２ａを閉鎖した状態を閉鎖状態とし、図４に示すように分割蓋３がそれぞれ開けられて厚さ方向が水平方向となり容器本体２の開口２ａを開放した状態を開放状態として以下説明する。また、分割蓋３の上面３ａおよび下面３ｂとは、閉鎖状態における上面および下面とし、上面３ａ側を上側、下面３ｂ側を下側として以下説明する。
【００２２】
そして、これらの８つの分割蓋３は、閉鎖状態となると容器本体２の開口２ａの一部をそれぞれ覆い、８枚全部によって容器本体２の開口２ａをすべて覆うように構成されている。このため、閉鎖状態となった８つの分割蓋３は、全体の外形が平面視における容器本体２の開口２ａの形状よりもやや大きく、この全体の外形の縁部が容器本体２の開口縁２ｂと上下に重なって接するように形成されている。
本実施形態では、８枚の分割蓋３のうち、横方向中央側に配列された４枚の分割蓋３ｃ（図１参照）は平面視において略長方形に形成され、横方向端部側に配列された４枚の分割蓋３ｄ（図１参照）は、平面視において略長方形の１つの角が隅切りされた形状に形成されている。
【００２３】
また、分割蓋３には、閉鎖状態において容器本体２の壁部２２と接する縁部３１の下面３ｂに、縁部３１の長さ方向に延びる第１蓋側切欠き部３２（図２〜図４参照）が形成されている。これにより、分割蓋３には、第１蓋側切欠き部３２の上側に第１凸部３３（図２〜図４参照）が形成される。
そして、閉鎖状態の分割蓋３は、この第１凸部３３が容器本体２の容器本体側切欠き部２４に嵌合するように構成され、縁部３１が容器本体２の壁部２２と平面視で重なっている。
なお、図中では容器本体側切欠き部２４と第１凸部３３との間に隙間があるが、隙間なく嵌合するものとする。
【００２４】
さらに、分割蓋３には、隣り合う分割蓋３と接する縁部３４に、縁部３４の長さ方向に延びる第２蓋側切欠き部３５（図２〜図４参照）が形成されている。
この第２蓋側切欠き部３５は、隣り合う分割蓋３，３の縁部３４，３４うち一方の縁部３４には上側に形成され、他方の縁部３４には下側に形成されている。
これにより、分割蓋３には、第２蓋側切欠き部３５が下側に形成された場合は縁部３４の上側に第２凸部３６（図２〜図４参照）が形成され、第２蓋側切欠き部３５が上側に形成された場合は縁部３４の下側に第２凸部３６が形成される。
【００２５】
そして、隣り合う分割蓋３，３は、隣り合う縁部３４，３４に形成された第２蓋側切欠き部３５と第２凸部３６とがそれぞれ嵌合するように構成され、隣り合う縁部３４，３４が重なるように構成されている。
なお、図中では第２蓋側切欠き部３５と第２凸部３６との間に隙間があるが、隙間なく嵌合するものとする。
また、第２蓋側切欠き部３５は、１つの分割蓋３に対して上側および下側のいずれかまたは両方に形成されていればよく、隣り合う分割蓋３の第２蓋側切欠き部３５と第２凸部３６とが嵌合すればよい。
【００２６】
また、図２乃至図４に示すように、容器本体側切欠き部２４の底面２４ａおよび分割蓋３の上側に形成された第２蓋側切欠き部３５の底面３５ａには、各切欠き部２４，３５の長さ方向全体に延びるゴムパッキン３７が設けられている。これにより、容器本体２の壁部２２の上端部２２ａの内側と分割蓋３の縁部３１、および隣り合う分割蓋３，３の縁部３４，３４は、ゴムパッキン３７を介した状態で重なっている。
また、分割蓋３には、開閉の際に使用者が把持可能な取手３８がそれぞれ設けられている。
【００２７】
続いて、本実施形態による放射性汚染物質の格納容器１の使用方法について図面を用いて説明する。
まず、図４に示すように、使用者が取手３８を把持してすべての分割蓋３を順に開放状態とする。このとき、容器本体２から分割蓋支持部材５を取り外した状態とする。
続いて、容器本体２の内部に放射性汚染物を格納し、分割蓋支持部材５を容器本体２に取り付ける。そして、すべての分割蓋３を順に閉鎖状態とする。
これにより、放射性汚染物質の格納容器１は密閉された状態となる。
【００２８】
また、複数の放射性汚染物質の格納容器１がある場合には、上下に重ねて使用することができる。このとき、上側の放射性汚染物質の格納容器１の容器本体２の脚部２３を下側の放射性汚染物質の格納容器１の容器本体２の壁部２２の上端部２２ａに設置することで分割蓋３の上部に容器本体２が直接載らないように構成されている。
なお、容器本体２の内部が放射性汚染物質で満杯となって除染業者に引き取ってもらうなど放射性汚染物質の格納容器１を運搬する際は、例えばフォークリフトで放射性汚染物質の格納容器１をトラックに載せて運搬することができる。
【００２９】
次に、上述した放射性汚染物質の格納容器１の作用効果について図面を用いて説明する。
図１乃至図４に示すように、本実施形態による放射性汚染物質の格納容器１によれば、蓋部４が複数の分割蓋３を備えることにより、蓋部４の重量が人力で開閉するには重い場合でも、１つの分割蓋３の重量は人力で容易に開閉できる重量とすることができるため、重量の重い蓋部４を備える放射性汚染物質の格納容器１であっても人力で分割蓋３（蓋部４）の開閉を容易に行うことができる。
【００３０】
そして、閉鎖状態の分割蓋３は、第１凸部３３が容器本体２の容器本体側切欠き部２４に嵌合するように構成されて縁部３１が容器本体２の壁部２２と重なっているとともに、隣り合う縁部３４，３４に形成された第２蓋側切欠き部３５と第２凸部３６とがそれぞれ嵌合するように構成されて隣り合う縁部３４，３４が重なっていることにより、容器本体２と分割蓋３との間および隣り合う分割蓋３，３の間の隙間がなくなるため、容器本体２の開口２ａを確実に密閉でき、放射性汚染物質の格納容器１の遮蔽性能を高めることができる。
【００３１】
また、本実施形態による放射性汚染物質の格納容器１によれば、容器本体２の壁部２２の上端部２２ａの内側と分割蓋３の縁部３１、および隣り合う分割蓋３，３の縁部３４，３４は、ゴムパッキン３７を介した状態で重なっていることにより、分割蓋３が容器本体２の開口２ａを確実に密閉することができ、放射性汚染物質の格納容器１の遮蔽性能を高めることができる。また、外部からの容器本体２内への雨水の浸入を確実に防ぐことができる。
【００３２】
また、本実施形態による放射性汚染物質の格納容器１によれば、分割蓋３は、ヒンジ６を介して容器本体２に連結されていることにより、分割蓋３の開閉を人力でも容易に行うことができる。
また、本実施形態による放射性汚染物質の格納容器１によれば、分割蓋支持部材５が設けられていることにより、分割蓋３を確実に閉鎖状態に支持することができる。
そして、分割蓋３の軽量化のために分割蓋３の数が多くなった場合でも、分割蓋支持部材５が分割蓋３を確実に閉鎖状態に支持することができる。
【００３３】
また、本実施形態による放射性汚染物質の格納容器１によれば、容器本体２および分割蓋３がＲＣで形成されていることにより、耐久性があり、放射性汚染物質を格納したまま中間貯蔵施設で保管することができ、その後最終処分場へ運搬するとともに、該最終処分場においても長期にわたって使用（保管）することができる。
また、本実施形態による放射性汚染物質の格納容器１によれば、上下方向に重ねて使用することができるため、仮置きまたは保管する際のスペースを縮小することができる。
【００３４】
以上、本発明による放射性汚染物質の格納容器の実施形態について説明したが、本発明は上記の実施形態に限定されるものではなく、その趣旨を逸脱しない範囲で適宜変更可能である。
例えば、上述した実施形態では、容器本体２が略直方体に形成されているが、例えば、円筒状などその他の形状であってもよい。
また、上述した実施形態では、容器本体２に脚部２３が設けられているが、脚部２３がない構成としてもよい。
また、上述した実施形態では、８つの分割蓋３を備えているが、分割蓋３の数は適宜設定されてよい。
また、上述した実施形態では、分割蓋３はヒンジ６を介して容器本体２に連結されているが、ヒンジ６がなくてもよいし、開放状態のときは容器本体２と連結していなくてもよい。
【００３５】
また、上述した実施形態では、容器本体側切欠き部２４の底面２４ａおよび分割蓋３の上側に形成された第２蓋側切欠き部３５の底面３５ａには、ゴムパッキン３７が設けられているが、ゴムパッキンが設けられていない構成としてもよい。
また、上述した実施形態では、分割蓋支持部材５が設けられているが、分割蓋支持部材５が設けられていない構成としてもよい。
また、上述した実施形態では、分割蓋３には、第１蓋側切欠き部３２、第２蓋側切欠き部３５が形成され、容器本体２には容器本体側切欠き部２４が形成されているが、このような切欠き部２４，３２，３５が設けられていなくてもよい。
また、分割蓋３および容器本体２にこのような切欠き部２４，３２，３５に代わって溝が形成され、分割蓋３に第１凸部３３および第２凸部３６に代わって溝に嵌合する凸条が形成された構成としてもよい。このように切欠き部２４，３２，３５と凸部３３，３６の形状や数、設けられる位置は適宜設定されてよい。
【符号の説明】
【００３６】
１  放射性汚染物質の格納容器
２  容器本体
３，３ｃ，３ｄ  分割蓋
４  蓋部
５  分割蓋支持部材
２４  容器本体側切欠き部
３１，３４  縁部
３２  第１蓋側切欠き部
３３  第１凸部
３５  第２蓋側切欠き部
３６  第２凸部
【図１】
2014206503.tif 000003
【図２】
2014206503.tif 000004
【図３】
2014206503.tif 000005
【図４】
2014206503.tif 000006